(57)【要約】【課題】画面のコントラストを保つことにより、有機ＥＬ表示装置の視認性を高める。【解決手段】階調値に基づく電荷を蓄えた画素に対して、基準電圧を印加することにより、発光させて表示を行う発光素子表示装置において、ＴＦＴ基板の矩形波駆動部内にある基準電圧算出部のＡＰＬ算出部が、ＡＰＬ（平均画像レベル）の値を算出し（ステップＳ２１）、そのＡＰＬの値に基づいて、基準電圧算出部のΔＶ算出部が基準電圧の補正量ΔＶを算出する（ステップＳ２２）。算出された補正量ΔＶは、基準電圧に加算され、矩形波駆動部から各画素に対して出力される矩形波信号の電圧となる。階調値に対応するデータ信号が記憶された各画素において、この矩形波信号により有機ＥＬ素子の発光が行われる。【選択図】図６
2011013340.tif 000002
【特許請求の範囲】
【請求項１】
階調値に基づく電圧が記憶された複数の画素に対して、電圧が印加されることにより、自発光体である発光素子に発光させることにより表示を行う発光素子表示装置において、
前記複数の画素の各々の階調値について、統計量を算出する統計量算出部と、
前記統計量に基づいて、基準電圧の補正量を算出し、前記基準電圧を補正する基準電圧補正部と、
前記基準電圧補正部により補正された補正基準電圧を出力する基準電圧出力部と、を備える発光素子表示装置。
【請求項２】
前記発光素子は、有機エレクトロルミネッサンス素子である、ことを特徴とする請求項１に記載の発光素子表示装置。
【請求項３】
前記統計量は、前記階調値の合計により表わされる平均画像レベル値である、ことを特徴とする請求項１に記載の発光素子表示装置。
【請求項４】
前記統計量は、色ごとに重みづけされて、合計することにより表わされる値である、ことを特徴とする請求項１に記載の発光素子表示装置。
【請求項５】
前記基準電圧補正部は、前記統計量が、明るさの度合いが高いことを示す値である場合には、前記発光素子の発光量を減少させるように基準電圧を補正し、前記統計量が、明るさの度合いが低いことを示す値である場合には、前記発光素子の発光量を増加させるように基準電圧を補正する、ことを特徴とする請求項１に記載の発光素子表示装置。
【請求項６】
前記基準電圧補正部は、前記統計量が、明るさの度合いが高いことを示す値である場合には、前記発光素子のピーク輝度を増加させるように基準電圧を補正し、明るさの度合いが低いことを示す値である場合には、前記発光素子のピーク輝度を減少させるように基準電圧を補正する、ことを特徴とする請求項１に記載の発光素子表示装置。
【請求項７】
前記基準電圧補正部は、前記補正量を算出するためのパラメータを有し、前記パラメータを使用した計算式に、前記統計量を代入することにより補正量決定する、ことを特徴とする請求項１に記載の発光素子表示装置。
【請求項８】
前記パラメータは、利用者による設定に基づいて決定される、ことを特徴とする請求項７に記載の発光素子表示装置。
【請求項９】
前記パラメータは、外光照度に基づいて決定される、ことを特徴とする請求項７に記載の発光素子表示装置。
【請求項１０】
前記パラメータは、継続使用時間に基づいて決定される、ことを特徴とする請求項７に記載の発光素子表示装置。
【請求項１１】
前記統計量算出部、前記基準電圧補正部、及び前記基準電圧出力部は、前記画素を有するＴＦＴ基板上の回路により構成されている、ことを特徴とする請求項１に記載の発光素子表示装置。
【請求項１２】
階調値に基づく電圧が記憶された複数の画素に対して、基準電圧が印加されることにより、自発光体である発光素子に発光させることにより表示を行う発光素子表示装置の表示方法において、
前記複数の画素の各々の階調値について、統計量を算出する統計量算出工程と、
前記統計量算出工程において算出された前記統計量に基づいて、前記基準電圧の補正量を算出し、前記基準電圧を補正する基準電圧補正工程と、
前記基準電圧補正工程において補正された前記基準電圧に基づいて、前記基準電圧を出力する基準電圧出力工程と、を備える表示方法。
【発明の詳細な説明】
【技術分野】
【０００１】
本発明は、発光素子表示装置及び表示方法に関し、より詳しくは、階調値に基づく電圧が記憶された複数の画素に対して、基準電圧が印加されることにより、発光素子を発光させることにより表示を行う発光素子表示装置、及びその発光素子表示装置の表示方法に関する。
【背景技術】
【０００２】
近年、有機発光ダイオード（Organic Light Emitting Diode）に代表される有機ＥＬ（Organic Electro-luminescent）素子と呼ばれる自発光体を用いた画像表示装置（以下、「有機ＥＬ表示装置」という。）が実用化段階にある。この有機ＥＬ表示装置は、従来の液晶表示装置と比較して、自発光体を用いているため、視認性、応答速度の点で優れているだけでなく、バックライトのような補助照明装置を要しないため、更なる薄型化が可能となっている。
【０００３】
このような有機ＥＬ表示装置の駆動方式として、特許文献１には、階調値に基づく電圧が記憶容量に記憶された複数の画素に対して、基準電圧を印加することにより、有機ＥＬ素子を発光させる、いわゆるＣＩ（Clamped Inverter）駆動方式と呼ばれる駆動方式の有機ＥＬ表示装置が開示されている。
【０００４】
なお、有機ＥＬ表示装置の表示品質を高める方法としては、高輝度化することが考えられるが、自発光体である有機ＥＬ素子の劣化や消費電力を考慮すると、有機ＥＬ素子の高輝度化により表示品質を改善することは難しくなっている。特許文献２には、表示品質を高める方法の一つとして、パルス幅変調（ＰＷＭ）駆動方式により駆動する有機ＥＬ表示装置において、表示画像の輝度分布に基づいて、各階調における輝度の特性を変更することが開示されている。
【先行技術文献】
【特許文献】
【０００５】
【特許文献１】特開２００３−００５７０９号公報
【特許文献２】特開２００４−１２６１６８号公報
【特許文献３】特開２００３−１２２３０１号公報
【特許文献４】特開２００４−３４１１４４号公報
【発明の概要】
【発明が解決しようとする課題】
【０００６】
ここで、ＣＩ駆動方式において、デジタル・スチル・カメラ等のモバイル機器に用いられる有機ＥＬ表示装置では、屋外での視認性を確保することが求められている。特に屋外で撮影された画像等、画面全体の平均階調値が高い画像を、有機ＥＬ表示装置で表示する場合には、有機ＥＬパネルへの供給電力が不足することにより、高い輝度で表示されるべき画素が、低い輝度で表示されてしまい、コントラストがなくなることから画像が不鮮明となる。
【０００７】
本発明は、上述の事情を鑑みてしたものであり、本発明の目的は、ＥＬ素子のような電流駆動型発光素子を有する表示装置において、従来よりも駆動回路の構成が簡単で、しかも、発光輝度のバランスをとりつつ高輝度から低輝度まで広範囲に渡る赤、緑、青の各画素の発光輝度を制御することが可能な駆動方法を提供することにある。また、本発明は、コントラストを向上させ、視認性を高めた有機ＥＬ表示装置を提供することを目的とする。
【課題を解決するための手段】
【０００８】
本発明の発光素子表示装置は、階調値に基づく電圧が記憶された複数の画素に対して、基準電圧が印加されることにより、自発光体である発光素子に発光させることにより表示を行う発光素子表示装置において、前記複数の画素の各々の階調値について、統計量を算出する統計量算出部と、前記統計量に基づいて、前記基準電圧の補正量を算出し、前記基準電圧を補正する基準電圧補正部と、前記基準電圧補正部により補正された前記基準電圧に基づいて、前記基準電圧を出力する基準電圧出力部と、を備える発光素子表示装置である。
【０００９】
また、本発明の発光素子表示装置において、前記発光素子は、有機エレクトロルミネッサンス素子である、とすることができる。
【００１０】
また、本発明の発光素子表示装置において、前記統計量は、前記階調値の合計により表わされる平均画像レベル値である、とすることができ、また、前記統計量は、色ごとに重みづけされて、合計することにより表わされる値である、とすることができる。
【００１１】
また、本発明の発光素子表示装置において、前記基準電圧補正部は、前記統計量が、明るさの度合いが高いことを示す値である場合には、前記発光素子の発光量を減少させるように基準電圧を補正し、前記統計量が、明るさの度合いが低いことを示す値である場合には、前記発光素子の発光量を増加させるように基準電圧を補正する、とすることができる。
【００１２】
また、本発明の発光素子表示装置において、前記基準電圧補正部は、前記統計量が、明るさの度合いが高いことを示す値である場合には、前記発光素子のピーク輝度を増加させるように基準電圧を補正し、明るさの度合いが低いことを示す値である場合には、前記発光素子のピーク輝度を減少させるように基準電圧を補正する、とすることができる。
【００１３】
また、本発明の発光素子表示装置において、前記基準電圧補正部は、前記補正量を算出するためのパラメータを有し、前記パラメータを使用した計算式に、前記統計量を代入することにより決定される、とすることができる。ここで、前記パラメータは、利用者による設定、外光照度、及び継続使用時間等に基づいて決定される、とすることができる。このパラメータには、基準電圧の補正を行うか行わないかを選択するパラメータも含むこととする。
【００１４】
また、本発明の発光素子表示装置において、前記統計量算出部、前記基準電圧補正部、及び前記基準電圧出力部は、前記画素を有するＴＦＴ基板上の回路により構成されている、とすることができる。
【００１５】
本発明の表示方法は、階調値に基づく電荷を蓄えた複数の画素に対して、基準電圧が印加されることにより、自発光体である発光素子に発光させることにより表示を行う発光素子表示装置の表示方法において、前記複数の画素の各々の階調値について、統計量を算出する統計量算出工程と、前記統計量算出工程において算出された前記統計量に基づいて、前記基準電圧の補正量を算出し、前記基準電圧を補正する基準電圧補正工程と、前記基準電圧補正工程において補正された前記基準電圧に基づいて、前記基準電圧を出力する基準電圧出力工程と、を備える表示方法である。
【図面の簡単な説明】
【００１６】
【図１】本発明の第１の実施形態係る有機ＥＬ表示装置について示す図である。
【図２】第１実施形態に係るＴＦＴ基板を概略的に示す図である。
【図３】画素内の回路を概略的に示す図である。
【図４】矩形波駆動部の構成を示す図である。
【図５】基準電圧算出部の処理を示すフローチャートである。
【図６】屋外モード補正量ΔＶ加算処理について示すフローチャートである。
【図７】ＡＰＬ算出処理について示すフローチャートである。
【図８】ΔＶ算出処理について示すフローチャートである。
【図９】補正量ΔＶとＡＰＬの関係について示すグラフである。
【図１０】有機ＥＬ素子を点灯させる際に、制御される信号の変化を示すタイミングチャートである。
【図１１】第２実施形態に係るＴＦＴ基板を概略的に示す図である。
【図１２】画素内の回路を概略的に示す図である。
【図１３】有機ＥＬ素子を点灯させる際に、制御される信号の変化を示すタイミングチャートである。
【図１４】補正量ΔＶとＡＰＬの関係について示すグラフである。
【図１５】ピーク輝度ＬとＡＰＬの関係について示すグラフである。
【発明を実施するための形態】
【００１７】
以下、本発明の第１実施形態乃至第２実施形態について、図面を参照しつつ説明する。なお、図面において、同一又は同等の要素には同一の符号を付し、重複する説明を省略する。
【００１８】
［第１実施形態］
図１は、本発明の第１の実施形態に係る有機ＥＬ表示装置１００について示す図である。この図に示されるように、有機ＥＬ表示装置１００は、ＴＦＴ（Thin Film Transistor）基板２００及び不図示の封止基板から構成される有機ＥＬパネルを挟むように固定する上フレーム１１０及び下フレーム１２０と、表示する情報を生成する回路素子を備える回路基板１４０と、その回路基板１４０において生成されたＲＧＢの情報をＴＦＴ基板２００に伝えるフレキシブル基板１３０と、により構成されている。
【００１９】
図２には、図１のＴＦＴ基板２００が概略的に示されている。ＴＦＴ基板２００は、マトリクス状に配置され、表示の最小単位である画素２０１と、表示する階調値に対応するデータ信号２１１を各画素２０１に出力するデータ信号駆動部２１０と、各画素２０１に配置されたＴＦＴスイッチを制御するための信号を出力するゲート駆動部２２０と、点灯させるための矩形波の発光期間信号である矩形波信号２３１を出力する矩形波駆動部２３０とを備えている。
【００２０】
ここで、ゲート駆動部２２０から各画素２０１に出力される信号は、後述する信号選択信号２２１、点灯制御信号２２２及びリセット信号２２３である。なお、この図においては、図が煩雑にならないよう画素２０１の数を減らし、簡略化して記載している。
【００２１】
図３には、画素２０１内の回路が概略的に示されている。この図に示されるように、画素２０１は、自発光体である有機ＥＬ素子３１０と、矩形波信号２３１及びデータ信号２１１のいずれを入力信号線２５０に入力するかを選択する第１選択スイッチ３０１及び第２選択スイッチ３０２と、有機ＥＬ素子３１０を点灯させるスイッチとして機能し、有機ＥＬ素子３１０のアノード側が、後述する点灯制御スイッチ３０８を介して、ドレイン側に接続されている有機ＥＬ駆動ＴＦＴ３０６と、第１選択スイッチ３０１及び第２選択スイッチ３０２と、有機ＥＬ駆動ＴＦＴ３０６のゲート側との間に配置された記憶容量３０４と、有機ＥＬ駆動ＴＦＴ３０６のドレイン側とゲート側を結ぶように接続され、リセット信号２２３により動作するリセットスイッチ３１４と、有機ＥＬ駆動ＴＦＴ３０６のドレイン側にあり、点灯制御信号２２２により駆動する点灯制御スイッチ３０８と、有機ＥＬ素子３１０のカソード側に接続された共通電極３１２と、を備えている。また、有機ＥＬ駆動ＴＦＴ３０６のソース側は電源線２４０に接続されている。
【００２２】
なお、第１選択スイッチ３０１、有機ＥＬ駆動ＴＦＴ３０６及び点灯制御スイッチ３０８はｐ型ＭＯＳにより形成されているため、ゲート信号がＬｏｗでオンとなる。一方、第２選択スイッチ３０２及びリセットスイッチ３１４は、ｎ型ＭＯＳにより形成されているため、ゲート信号がＨｉｇｈでオンとなる。
【００２３】
図４には、矩形波駆動部２３０の構成が示されている。矩形波駆動部２３０は、矩形波の発光期間信号の電圧値を算出する基準電圧算出部４１０と、基準電圧算出部４１０で算出された電圧で矩形波信号２３１を出力する矩形波出力部４２０と、基準電圧を算出するために必要な定数が保存されるレジスタ部４３０とを備え、更に、平均画像レベル（ＡＰＬ）値を算出するＡＰＬ算出部４１１と、ＡＰＬ算出部４１１で算出されたＡＰＬの値に基づいて電圧の補正量（補正電圧）ΔＶを算出するΔＶ（補正電圧）算出部４１２とを有している。
【００２４】
すなわち、統計量算出部であるＡＰＬ算出部４１１で算出される統計量（統計電圧）は画像データから統計的に得られる電圧データである。また、基準電圧補正部は補正電圧算出部４１２と基準電圧算出部４１０とで構成される。補正電圧算出部４１２により算出された補正電圧ΔＶと基準電圧算出部４１０により算出された基準電圧とで補正された基準電圧（補正基準電圧）を算出する。補正基準電圧は基準電圧出力部を介して出力される。図４において基準電圧出力部は矩形波出力部４２０である。
【００２５】
図５は、矩形波駆動部２３０の処理を示すフローチャートである。基準電圧算出部４１０は、まず、ステップＳ１１において、レジスタ部４３０から基準電圧の出荷時設定値を読み出し、引き続き、ステップＳ１２において、読み出した出荷時設定値に、継続使用時間等から算出される劣化補正分を取得し、加算する。次に、ステップＳ１３において、利用者により、屋外モードが設定されているかどうかを判定する。ここで、肯定的な判定の場合には、ステップＳ１４に移行して屋外モード補正量ΔＶ加算処理を実行し、屋外モードにおいての補正量ΔＶを加算した後、処理を終了する。一方、否定的な判定の場合には、そのまま処理を終了する。
【００２６】
図６は、図５のステップＳ１４である屋外モード補正量ΔＶ加算処理について示すフローチャートである。屋外モード補正量ΔＶ加算処理（ステップＳ１４）は、まず、ステップＳ２１において、ＡＰＬ（平均画像レベル）の値を算出するＡＰＬ算出処理を行い、引き続き、ステップＳ２２において、算出されたＡＰＬの値に基づいて、補正量ΔＶを算出するΔＶ算出処理を実行する。最後に、ステップＳ２３において、算出された補正量ΔＶを基準電圧に加算する。
【００２７】
図７は、図６のステップＳ２１であるＡＰＬ算出処理について示すフローチャートである。ＡＰＬ算出処理（ステップＳ２１）は、まず、ステップＳ３１において、図１の回路基板１４０から送信され、画面に表示するＲ（赤）Ｇ（緑）Ｂ（青）の各階調値を取得し、それらの値を合算する。この処理は一画面分のデータについて合算し終えるまで、繰り返される（ステップＳ３２）。ここで、ＲＧＢの各色についての合算は、例えば、Ｂ（青）の階調値については、１．３を乗じて合算する等重みづけを行って合算してもよい。引き続き、ステップＳ３３において、合算された情報を上位ビットのみを残すように、ビットシフトさせてＡＰＬの値とし、ステップＳ３４において、そのＡＰＬの値を保存する。
【００２８】
図８は、図６のステップＳ２２であるΔＶ算出処理について示すフローチャートである。ΔＶ算出処理（ステップＳ２２）は、まず、ステップＳ４１において、ステップＳ２１のＡＰＬ算出処理により算出されたＡＰＬの値と、レジスタ部４３０に保存された値であり、補正量ΔＶを算出するためのパラメータであるＡＰ１、ＡＰ２、ＡＰ３、ΔＶ１、ΔＶ２、ΔＶ３の各値を読み出して取得する。
【００２９】
次に、ステップＳ４２において、ＡＰＬの値がＡＰ１以下かどうかを判定する。この判定結果が肯定的な場合には、ステップＳ４３において、ΔＶにΔＶ１を代入して、ステップＳ４４へ移行する。一方、否定的な場合には、ステップＳ４３の代入を行わずにステップＳ４４へ移行する。
【００３０】
引き続き、ステップＳ４４において、ＡＰＬの値がＡＰ１より大きく、かつＡＰ２以下かどうかを判定する。この判定結果が肯定的な場合には、ステップＳ４５において、ΔＶに（Ｂ１・（ＡＰＬ−ＡＰ１）＋ΔＶ１）の計算結果を代入して、ステップＳ４６へ移行する。一方、否定的な場合には、ステップＳ４５の代入を行わずにステップＳ４６へ移行する。ここで、Ｂ１は、（（ΔＶ２−ΔＶ１）／（ＡＰ２−ＡＰ１））で表わされる量である。
【００３１】
次に、ステップＳ４６において、ＡＰＬの値がＡＰ２より大きく、かつＡＰ３以下かどうかを判定する。この判定結果が肯定的な場合には、ステップＳ４７において、ΔＶに（Ｂ２・（ＡＰＬ−ＡＰ２）＋ΔＶ２）の計算結果を代入して、ステップＳ４８へ移行する。一方、否定的な場合には、ステップＳ４７の代入を行わずにステップＳ４８へ移行する。ここで、Ｂ２は、（（ΔＶ３−ΔＶ２）／（ＡＰ３−ＡＰ２））で表わされる量である。
【００３２】
引き続き、ステップＳ４８において、ＡＰＬの値がＡＰ３より大きいかどうかを判定する。この判定結果が肯定的な場合には、ステップＳ４９において、ΔＶにΔＶ３を代入して、ΔＶ算出処理（ステップＳ２２）を終了する。一方、否定的な場合には、ステップＳ４９の代入を行わずにΔＶ算出処理（ステップＳ２２）を終了する。ここで算出された補正量ΔＶは、図６のステップＳ２３において、基準電圧に加算される。
【００３３】
なお、図５において、屋外モードが設定されていない場合には、屋外モード補正量ΔＶ加算処理（ステップＳ１４）を実行しないこととしたが、この代わりに、図８のΔＶ算出処理（ステップＳ２２）において、ΔＶを０Ｖとすることとしてもよい。
【００３４】
図９は、図８のΔＶ算出処理により算出される補正量ΔＶとＡＰＬの関係について示すグラフである。このグラフにおいて、レジスタ部４３０から読みだされる各パラメータの値は、ＡＰ１＝６４、ＡＰ２＝１６０、ＡＰ３＝２４０、ΔＶ１＝−０．３、ΔＶ２＝０．１、ΔＶ３＝０．３である。このグラフに示されるように、ＡＰＬの値が大きくなるにつれて、補正量ΔＶは増加する。
【００３５】
図１０は、図３の有機ＥＬ素子３１０を点灯させる際に、制御される信号の変化を示すタイミングチャートである。このタイミングチャートには、図３のデータ信号２１１、矩形波信号２３１、有機ＥＬ駆動ＴＦＴ３０６のゲート電圧信号２５０、信号選択信号２２１、リセット信号２２３及び点灯制御信号２２２の各信号の変化の様子が示されている。
【００３６】
この図に示されるように、まず、時刻Ｔ１において、信号選択信号２２１がＬｏｗとなる。これにより、図３の第１選択スイッチ３０１はオンとなり、第２選択スイッチ３０２はオフとなるため、記憶容量３０４にはデータ信号２１１が入力される。なお、この時刻Ｔ１の時点では、リセット信号２２３は、Ｌｏｗ（ネガティブ）であり、リセットスイッチ３１４はオフとなっている。
【００３７】
引き続き、時刻Ｔ２において、リセット信号２２３がＨｉｇｈ（アクティブ）となり、リセットスイッチ３１４がオンとなると共に、点灯制御信号２２２がＬｏｗ（アクティブ）となり、点灯制御スイッチ３０８がオンとなる。これにより有機ＥＬ駆動ＴＦＴ３０６のゲートとドレインは導通し、電源線２４０から、有機ＥＬ駆動ＴＦＴ３０６のＰＮ接合及びゲート線を介して、共通電極３１２へ電流が流れる。この際に有機ＥＬ駆動ＴＦＴ３０６のゲート電圧２５０は有機ＥＬ素子３１０の電流に見合ったゲート電圧に引き下げられる。
【００３８】
次に、時刻Ｔ３において、点灯制御信号２２２がＨｉｇｈ（ネガティブ）となると、点灯制御スイッチ３０８がオフとなり、有機ＥＬ駆動ＴＦＴ３０６のゲートの電圧２５０が上がり、有機ＥＬ駆動ＴＦＴ３０６の閾値電圧となった時点で非導通となる。次に、時刻Ｔ４において、リセット信号２２３をＬｏｗ（ネガティブ）とし、リセットスイッチをオフする。これにより、時刻Ｔ４において、入力信号線２５０に入力されるデータ信号は階調値に対応するデータの電圧になり、これに伴い、記憶容量３０４を介して、有機ＥＬ駆動ＴＦＴ３０６のゲート電圧２５０も引き下げられることにより、データに対応する分の電流がソース側からゲート側に流れ込み、階調値に対応する電荷量が設定される。
【００３９】
引き続き、時刻Ｔ５において、図５の基準電圧決定処理で決定された基準電圧を、矩形波信号２３１に設定する。ここで、本実施形態では、直前に屋外モードが新たに設定され、ＡＰＬ算出処理（ステップＳ２１）により得られたＡＰＬの値が２２４とすると、図８のΔＶ算出処理（ステップＳ２２）のステップＳ４６において、肯定的な判定となり、ステップＳ４７の式により補正量ΔＶが０．２６Ｖとなる。したがって、図１０の時刻Ｔ５において、矩形波信号２３１の電圧は、補正量ΔＶである０．２６Ｖだけ引き上げられている。
【００４０】
次に、時刻Ｔ６において、信号選択信号２２１がＨｉｇｈに設定されると共に、点灯制御信号２２２がＬｏｗ（アクティブ）となる。これにより、第１選択スイッチ３０１はオフとなり、第２選択スイッチ３０２はオンとなるため、入力信号線２５０には矩形波信号２３１が入力されると共に、点灯制御スイッチがオンとなる。これにより、有機ＥＬ駆動ＴＦＴ３０６のゲート側には、入力信号線２５０に印加された矩形波の電圧に対応する電圧が発生し、ゲート側に電流が流れ込むため、有機ＥＬ駆動ＴＦＴ３０６のソース側からドレイン側に電流が流れ、有機ＥＬ素子３１０が点灯する。
【００４１】
ここで、矩形波信号２３１は、補正量ΔＶだけ引き上げられているため、ゲート側に発生する電圧も引き上げられ、有機ＥＬ駆動ＴＦＴ３０６のソース端とゲート端の電位差が小さくなることから、補正量ΔＶがない場合に比べて、発光量が小さくなる。
【００４２】
したがって、本発明の第１実施形態では、屋外の明るい場所において撮影された等の理由により画面全体が明るい画像について、コントラストを保ち、視認性を確保することができる。
【００４３】
また、上述のように、コントラストを保つことにより、消費電力を抑えることができると共に、有機ＥＬ素子３１０の長寿命化を図ることができる。
【００４４】
また、基準電圧を変化させることにより画面全体の輝度を変化させることとしたため、各画素に記憶させる階調値に対応するデータとは関係なく、一度に画面全体の輝度を変化させることができる。
【００４５】
また、図８及び図９に示されるように、ＡＰＬの値が小さい場合には、補正量ΔＶを負の値にしていることから、画面全体が暗い場合には、画面全体の輝度を高め、視認性を高めることができる。
【００４６】
［第２実施形態］
図１１には、本発明の第２の実施形態に係るＴＦＴ基板８００が概略的に示されている。ここで、このＴＦＴ基板８００が収容される有機ＥＬ表示装置は、図１に示された、実施形態１の有機ＥＬ表示装置１００の構成と同様である。
【００４７】
ＴＦＴ基板８００は、マトリクス状に配置され、表示の最小単位である画素８０１と、表示する階調値に対応するデータ信号８１１を出力するデータ信号駆動部８１０と、各画素８０１に配置されたＴＦＴスイッチ等を制御するための信号を出力するゲート駆動部８２０と、各画素８０１に点灯のための矩形波の発光期間信号である矩形波信号８３１を出力する矩形波駆動部８３０と、矩形波信号８３１及びデータ信号８１１のいずれを入力信号線８５０に入力するかを選択する第１選択スイッチ８２４及び第２選択スイッチ８２６と、を備えている。
【００４８】
ここで、ゲート駆動部８２０から各画素８０１に出力される信号は、信号選択信号８２１、点灯制御信号８２２及びリセット信号８２３である。なお、実施形態１の図２と同様に、この図においては、図が煩雑にならないよう画素８０１の数を減らし、簡略化して記載している。
【００４９】
図１２は、画素８０１内の回路を概略的に示す図である。この図に示されるように、画素８０１は、自発光体である有機ＥＬ素子９１０と、有機ＥＬ素子９１０を駆動するスイッチとして機能し、有機ＥＬ素子９１０のアノード側が、後述する点灯制御スイッチ９０８を介して、ドレイン側に接続されている有機ＥＬ駆動ＴＦＴ９０６と、有機ＥＬ駆動ＴＦＴ９０６のゲート側に配置された記憶容量９０４と、有機ＥＬ駆動ＴＦＴ９０６のドレイン側とゲート側を結ぶように接続され、リセット信号８２３により駆動するリセットスイッチ９１４と、有機ＥＬ駆動ＴＦＴ９０６のソース側にあり、点灯制御信号８２２により駆動する点灯制御スイッチ９０８と、有機ＥＬ素子９１０のカソード側に接続された共通電極９１２と、を備えている。また、有機ＥＬ駆動ＴＦＴ９０６のソース側は電源線８４０に接続されている。
【００５０】
なお、点灯制御スイッチ９０８及びリセットスイッチ９１４はｎ型ＭＯＳにより形成されているため、ゲート信号はＨｉｇｈでオンとなる。ここで、矩形波駆動部８３０は、図３に示される、実施形態１の矩形波駆動部２３０と同様の構成であり、図４〜７と同様の動作を行う。
【００５１】
図１３は、有機ＥＬ素子９１０を点灯させる際の、制御される信号の変化の様子を示すタイミングチャートである。実施形態２では、実施形態１の点灯制御スイッチ３０８と異なり、点灯制御スイッチ９０８がｎ型ＭＯＳで形成されているため、このタイミングチャートは、点灯制御信号８２２のＬｏｗとＨｉｇｈが逆になっている。この他の点について、図１０で示される実施形態１のタイミングチャートと同じであり、同様の動作であるため、説明を省略する。
【００５２】
したがって、第２実施形態では、第１実施形態と同様に、屋外の明るい場所において撮影された等の理由により画面全体が明るい画像について、コントラストを保ち、視認性を確保することができる。
【００５３】
また、コントラストを保つことにより、消費電力を抑えることができると共に、有機ＥＬ素子９１０の長寿命化を図ることができる。
【００５４】
また、基準電圧を変化させることにより画面全体の輝度を変化させることとしたため、各画素に記憶させる階調値に対応するデータとは関係なく、一度に画面全体の輝度を変化させることができる。
【００５５】
また、図８及び図９に示されるように、ＡＰＬの値が小さい場合には、補正量ΔＶを負の値にしていることから、画面全体が暗い場合には、画面全体の輝度を高め、視認性を高めることができる。
【００５６】
なお、上述の第１実施形態及び第２実施形態においては、画面全体が暗い場合には、画面全体の輝度を高め、画面全体が明るい場合には、画面全体の輝度を抑えることとしたが、逆に、ピーク輝度に着目し、画面全体が明るい場合には、ピーク輝度を高めるために、更に、補正量ΔＶを負の値にし、画面全体が暗い場合には、ピーク輝度を抑えるために、補正量ΔＶを正の値にする制御も可能である。
【００５７】
図１４及び図１５には、それぞれ補正量ΔＶとＡＰＬとの関係について示すグラフと、ピーク輝度ＬとＡＰＬの関係について示すグラフとが示されている。ここで、実線で表された図１４のＬ＿Ｖ１及び図１５のＬ＿Ｐ１は共に同一の制御による特性を示し、点線で表された図１４のＬ＿Ｖ２及び図１５のＬ＿Ｐ２は共に同一の制御による特性を示している。各ＡＰＬの値において、補正量ΔＶが０の場合（図１４、点線Ｌ＿Ｖ２）には、図１５の点線Ｌ＿Ｐ２に示されるように、ＡＰＬの値が増加するにつれて、自然にピーク輝度Ｌは小さくなる。したがって、ピーク輝度の値を一定に保つために、ＡＰＬの値が大きくなるにつれて、補正量ΔＶの値を小さくする制御を行うことにより（図１４、実線Ｌ＿Ｖ１）、図１５の実線Ｌ＿Ｐ１に示されるように、ピーク輝度を一定に保つことができる。
【００５８】
また、上述の第１実施形態及び第２実施形態においては、屋外モードが設定されていた場合に、ＡＰＬの値を算出して画面全体の輝度を制御することとしたが、常にこのような動作を行うこととしてもよいし、有機ＥＬ表示装置の継続使用時間や周囲の明るさを検知することにより、動作を行うこととしてもよい。一方、有機ＥＬ表示装置の継続使用時間や周囲の明るさを検知することにより、ＡＰ１〜ＡＰ３やΔＶ１〜ΔＶ３等のパラメータを算出・設定することとしてもよい。
【００５９】
また、上述の第１実施形態及び第２実施形態においては、図２〜３及び図１１〜１２のような回路を用いることとしたが、このような回路構成に限られず、基準電圧を用いて点灯を行う自発光素子を用いた表示装置に適用することができる。
【００６０】
また、上述の第１実施形態及び第２実施形態において特に記載していないが、有機ＥＬ層に使用される発光材料は低分子であっても、高分子であってもよいし、有機ＥＬパネルの光の取り出し方向は、ボトムエミッション方式及びトップエミッション方式のいずれであってもよい。
【符号の説明】
【００６１】
１００  有機ＥＬ表示装置、１１０  上フレーム、１２０  下フレーム、１３０  フレキシブル基板、１４０  回路基板、２００，８００  ＴＦＴ基板、２０１，８０１  画素、２１０，８１０  データ信号駆動部、２１１，８１１  データ信号、２２０，８２０  ゲート駆動部、２２１，８２１  信号選択信号、２２２，８２２  点灯制御信号、２２３，８２３  リセット信号、２３０，８３０  矩形波駆動部、２３１，８３１  矩形波信号、２４０，８４０  電源線、２５０，８５０  入力信号線、３０１，８２４  第１選択スイッチ、３０２，８２６  第２選択スイッチ、３０４，９０４  記憶容量、３０６，９０６  有機ＥＬ駆動ＴＦＴ、３０８，９０８  点灯制御スイッチ、３１０，９１０  有機ＥＬ素子、３１２，９１２  共通電極、３１４，９１４  リセットスイッチ、４１０  基準電圧算出部、４１１  ＡＰＬ算出部、４１２  ΔＶ算出部、４２０  矩形波出力部、４３０  レジスタ部。
【図１】
2011013340.tif 000003
【図２】
2011013340.tif 000004
【図３】
2011013340.tif 000005
【図４】
2011013340.tif 000006
【図５】
2011013340.tif 000007
【図６】
2011013340.tif 000008
【図７】
2011013340.tif 000009
【図８】
2011013340.tif 000010
【図９】
2011013340.tif 000011
【図１０】
2011013340.tif 000012
【図１１】
2011013340.tif 000013
【図１２】
2011013340.tif 000014
【図１３】
2011013340.tif 000015
【図１４】
2011013340.tif 000016
【図１５】
2011013340.tif 000017